(57)【要約】【課題】洗濯乾燥機に不向きな被洗濯乾燥物を検知し排除することである。【解決手段】洗濯乾燥機は読取手段２を具備し、被洗濯乾燥物１０に貼付された無線ＩＣタグ１１からデータを読み出してドライクリーニング指定のような洗濯乾燥不可能な被洗濯乾燥物１０が洗濯乾燥機１に入れられた、あるいは存在した場合は、警報を報知する、あるいは洗濯乾燥スイッチを押されても洗濯乾燥を行わないようにした。【選択図】図１
2006087584.tif 000002
【特許請求の範囲】
【請求項１】
被洗濯乾燥物にひとつ以上の無線ＩＣタグが貼付されており、洗濯乾燥機の読取手段で前記無線ＩＣタグからデータを読み取り、前記被洗濯乾燥物が洗濯乾燥出来ないと判断した場合には洗濯乾燥を行わないことを特徴とする洗濯乾燥機。
【請求項２】
被洗濯乾燥物にひとつ以上の無線ＩＣタグが貼付されており、洗濯乾燥機の読取手段で前記無線ＩＣタグからデータを読み取り、前記被洗濯乾燥物が洗濯乾燥できないと判断した場合には洗濯乾燥機に具備した警報装置から報知することを特徴とする洗濯乾燥機。
【請求項３】
洗濯乾燥機は開け閉め可能な被洗濯乾燥物を出し入れするための扉あるいは蓋を具備し、前記扉あるいは蓋が開けられている時に無線ＩＣタグのデータを読み出すことを特徴とする請求項１または２記載の洗濯乾燥機。
【請求項４】
無線ＩＣタグのデータに被洗濯乾燥物が洗濯乾燥機で洗濯乾燥可能かどうかの情報を含むことを特徴とする請求項１または２記載の洗濯乾燥機。
【請求項５】
無線ＩＣタグのデータに被洗濯乾燥物の製造者、型番、素材、加工に関する情報の少なくとも一つを含み、洗濯乾燥機の持つデータベースと比較して、洗濯もしくは乾燥が可能かどうかの情報を判定することを特徴とする請求項１または請求項２記載の洗濯乾燥機。
【請求項６】
一定時間ごとに通信回線を経由して洗濯乾燥機の持つデータベースを更新することを特徴とする請求項５記載の洗濯乾燥機。
【請求項７】
請求項１〜６のいずれか記載の洗濯乾燥機において少なくともひとつの機能をコンピュータに実行させるためのプログラム。
【発明の詳細な説明】
【技術分野】
【０００１】
本発明は、洗濯乾燥機に関するものである。
【背景技術】
【０００２】
洗濯乾燥機は非常に便利な機械であるが、水や洗剤を使用して洗濯するので、汚れの種類によっては綺麗に洗濯できないことや、反対に水や洗剤のために被洗濯乾燥物を傷めてしまうということがあった。そのため特許文献１のように非接触ＩＣタグを被洗濯乾燥物に付してその被洗濯乾燥物に応じた洗濯制御を行い更には使用者の好みまで反映する方式が考案されている。
【特許文献１】特開２００４−１９５０６３号公報
【発明の開示】
【発明が解決しようとする課題】
【０００３】
しかしながら、この方式では洗濯機で洗濯可能な被洗濯乾燥物に対しては有効であるが、ドライクリーニング指定のような、洗濯機で洗濯できない被洗濯乾燥物を気づかずに誤って洗濯しようとした場合でも洗濯してしまうため、大切な被洗濯乾燥物を傷める危険性を完全に排除できない。従って、洗濯乾燥機で洗濯乾燥に不向きな被洗濯乾燥物は最初から排除するのが最も確実かつ安全な方法である。
【課題を解決するための手段】
【０００４】
そこで、前記の課題を解決するために、本発明の洗濯乾燥機は読取手段を具備し、被洗濯乾燥物に貼付された無線ＩＣタグからデータを読み出して、ドライクリーニング指定のような洗濯不可能な被洗濯乾燥物が入れられた、あるいは存在した場合は、警報を報知する、あるいは洗濯乾燥スイッチを押されても洗濯乾燥を行わないようにした。
【０００５】
特に最近の被洗濯乾燥物品は特殊な加工は施されていたりして意外にもドライクリーニング指定されているものも多く、こういった被洗濯乾燥物品は高価なものであるため被害が大きく、気がつかないうちに洗濯乾燥機で洗濯乾燥をしてしまい、変わり果てた被洗濯乾燥物品を見てがっかりするということを未然に防ぐ意味で特に有効である。
【発明の効果】
【０００６】
本発明の洗濯乾燥機は読取手段を具備し、被洗濯乾燥物に貼付された無線ＩＣタグからデータを読み出してドライクリーニング指定のような洗濯乾燥不可能な被洗濯乾燥物が入れられた、あるいは存在した場合は、警報を報知する、あるいは洗濯スイッチを押されても洗濯乾燥を行わないので、気づかないうちに洗濯乾燥機に入れて洗濯乾燥させてしまい、大切な被洗濯乾燥物を変色、変質させてしまうというトラブルを根本的に解決できる。
【発明を実施するための最良の形態】
【０００７】
第１の発明は、被洗濯乾燥物にひとつ以上の無線ＩＣタグが貼付されており、洗濯乾燥機に設置した読取手段で前記無線ＩＣタグからデータを読み取り、ドライクリーニング指定のような洗濯乾燥不可能な被洗濯乾燥物が存在した場合には洗濯乾燥を行わない。これにより、誤って洗濯乾燥してはいけない被洗濯乾燥物を入れてしまったことを知らずに洗濯乾燥しようとしてしまった場合でも、洗濯乾燥機自身がそれを判断して、洗濯乾燥を行わないので大切な高級被洗濯乾燥物を傷めて後悔するということを未然に防ぐことが出来る。
【０００８】
第２の発明は、被洗濯乾燥物にひとつ以上の無線ＩＣタグが貼付されており、洗濯乾燥機に設置した読取手段で前記無線ＩＣタグからデータを読み取り、ドライクリーニング指定のような洗濯乾燥不可能な被洗濯乾燥物が存在した場合に、洗濯乾燥機に具備した警報装置から音、光、振動のいずれかあるいはすべての手段を用いて報知する。これにより、誤って洗濯乾燥してはいけない被洗濯乾燥物を洗濯乾燥機に入れてしまった時点で、そのことを報知するので、その場で即座にミスに気づくことが出来、大切な被洗濯乾燥物を傷めて後悔するということを未然に防ぐことが出来る。
【０００９】
第３の発明は、特に第２の発明の洗濯乾燥機において、開け閉め可能な被洗濯乾燥物を出し入れするための扉あるいは蓋を具備し、扉あるいは蓋が開けられている時に無線ＩＣタグの情報を読み出して解析する。これにより、ドライクリーニング指定のような洗濯乾燥不可能な被洗濯乾燥物を洗濯乾燥機に入れた瞬間に警告を発することが出来、より迅速に利用者がミスに気づくことが期待できる。さらに無線ＩＣタグの読取手段を常時動作させる必要がなく、扉や蓋が開いている時だけ動作させるため省エネルギ効果も期待できる。
【００１０】
第４の発明は、特に第１または第２の発明の洗濯乾燥機において、無線ＩＣタグのデータに洗濯乾燥機で洗濯乾燥可能かどうかの情報を含む。これにより、洗濯乾燥機で洗濯乾燥しても良い被洗濯乾燥物かどうかの判断が瞬時かつ容易かつ確実に行うことが出来る。
【００１１】
第５の発明は、特に第１または第２の発明の洗濯乾燥機において、無線ＩＣタグのデータに被洗濯乾燥物の製造者、型番、素材、加工に関する情報の少なくとも一つを含み、洗濯乾燥機の持つデータベースと比較して、洗濯乾燥可能かどうかの情報を判定する。これにより、無線ＩＣタグ自身に洗濯乾燥機で洗濯乾燥しても良いかどうかの情報がない時でも、データベースから知ることが可能となる。
【００１２】
第６の発明は、特に第５の発明の洗濯乾燥機において、一定時間ごとに通信回線（例えばインターネット）を経由して洗濯乾燥機の持つデータベースを更新する。これにより、常に最新のデータベースと比較することが可能となるので、洗濯乾燥機で洗濯乾燥しても良いかどうかの判断をより確実におこなえるようになる。
【００１３】
第７の発明は、第１〜６の発明の洗濯乾燥機において、少なくともひとつの機能をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の一部あるいは全てをプログラムとして容易に実現することができる。また記録媒体に記録あるいは、通信回線を用いてプログラム配信することにより、プログラム配布が他の手段に比べて極めて簡単に実現できる。
【００１４】
以下、本発明の実施の形態について、図面を用いて一実施形態について詳細に説明する。なお、この実施の形態によって本発明が限定されるものではない。
【００１５】
（実施の形態１）
図１は本発明の洗濯乾燥機の構成一例を示す図である。洗濯乾燥機１は、無線ＩＣタグのデータを読み取る読取手段２、そのデータを処理する処理手段３、そしてその判定結果により洗濯乾燥機能を制御する洗濯乾燥制御手段４を具備している。洗濯乾燥機１に入れられた被洗濯乾燥物１０には無線ＩＣタグ１１が貼付されており、この無線ＩＣタグのデータを読取手段２が読み出し、読み込まれたデータは処理手段３にて処理される。
【００１６】
なお、無線ＩＣタグ１１は洗濯乾燥機で洗濯乾燥可能かどうかの情報を含むデータを持っていることもあるし、被洗濯乾燥物の製造者、型番、素材、加工に関する情報をデータとして持っていることもあるし、ドライクリーニング指定のような形式で洗濯乾燥不可能であることを示すこともある。いずれの情報も読取手段２で読み出すことが出来る。
【００１７】
無線ＩＣタグ１１から読み取られたデータは処理手段３にて処理される。洗濯乾燥可能かどうかの情報が含まれていればそのままその情報に従い、もしその情報がない場合には処理手段３の内部のデータベースから洗濯乾燥可能かどうかを調査し、最終的には洗濯制御機能４を介して、洗濯乾燥開始もしくは洗濯乾燥禁止処理を行う。
【００１８】
図２は本発明の洗濯乾燥機の動作シーケンスの一例を示す図である。Ｓ２１で洗濯乾燥を開始するかどうかを監視して、開始になった時点でＳ２２において洗濯乾燥機内に入れられている被洗濯乾燥物の無線ＩＣタグからデータを読み出す。Ｓ２３において、Ｓ２２で読み込んだデータに洗濯乾燥機禁止フラグが立っているものがあるかどうかを判定し、ひとつでも該当するものがあれば洗濯乾燥を禁止する。
【００１９】
該当するものがひとつもなかった場合にはＳ２２で読み込んだデータをＳ２４にて処理手段３内のデータベースと比較して、洗濯乾燥機で洗濯乾燥できないものがあるかどうかを調査して該当するものが何もなければ、いよいよ洗濯乾燥を開始する（Ｓ２５）。
【００２０】
（実施の形態２）
図３は本発明の洗濯乾燥機の構成一例を示す図である。洗濯乾燥機１は、無線ＩＣタグのデータを読み取る読取手段２、そのデータを処理する処理手段３、そしてその判定結果により警報を報知して注意を喚起するための警報報知手段５を具備している。
【００２１】
以下、実施の形態１と同様に洗濯してはいけない被洗濯乾燥物を検知した場合には、警報報知手段５により報知する。報知には光、音、振動のいずれか、もしくは全てを用いてもかまわない。
【００２２】
図４は本発明の洗濯乾燥機の動作シーケンスの一例を示す図である。Ｓ３１で被洗濯乾燥物洗い乾燥の飛谷、蓋が開いているかどうかを監視して、開いた時点でＳ３２において常時、被洗濯乾燥物の無線ＩＣタグからデータを読み出す。Ｓ３３においてＳ３２で読み込んだデータに被洗濯乾燥物洗い機使用禁止フラグが立っているものがあるかどうかを判定し、ひとつでも該当するものがあればＳ３５にて洗濯不可として警報報知する。
【００２３】
該当するものがひとつもなかった場合にはＳ３２で読み込んだデータをＳ３４にて処理手段３の内のデータベースと比較して、洗濯乾燥機で洗濯できないものがあるかどうかを調査して該当するものが何もなければ、再度Ｓ３１から繰り返す。
【００２４】
これにより洗濯乾燥機の扉、蓋が開けられて被洗濯乾燥物が入れられた時に即座にその被洗濯乾燥物に貼付された無線ＩＣタグからデータを読み出し、洗濯乾燥機で洗濯乾燥不可能な被洗濯乾燥物を発見しだい警報報知する。
【００２５】
なお、処理手段３の中のデータベースは常に最新の情報を反映させるため、処理手段３からインターネット等を介してデータベース管理サーバーなどから定期的に取得するといったことが可能である。この手続きは一般のインターネット接続と全く同様なので図を用いた説明は省略する。
【００２６】
また、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【００２７】
また、本実施例では非常に限られた用途だけを例として用いているが、一般家電にも適用可能な技術であり、いずれの場合にも効果を発揮するものである。
【産業上の利用可能性】
【００２８】
以上のように、本発明にかかる洗濯乾燥機は読取手段を具備し、被洗濯乾燥物に貼付された無線ＩＣタグからデータを読み出して洗濯乾燥不可能な被洗濯乾燥物が入れられた、あるいは存在した場合は、警報を報知する、あるいは洗濯スイッチを押されても洗濯乾燥を行わないようにした。これらは洗濯乾燥機のほか、食器洗浄乾燥機にも利用できる。
【図面の簡単な説明】
【００２９】
【図１】本発明の実施の形態１の洗濯乾燥機の構成一例を示す図
【図２】本発明の実施の形態１の洗濯乾燥機の動作シーケンスの一例を示す図
【図３】本発明の実施の形態１の洗濯乾燥機の構成一例を示す図
【図４】本発明の実施の形態２の洗濯乾燥機の動作シーケンスの一例を示す図
【符号の説明】
【００３０】
１  洗濯乾燥機
２  読取手段
３  処理手段
４  洗濯乾燥制御手段
５  警報報知手段（警報装置）
１０  被洗濯乾燥物
１１  無線ＩＣタグ
【図１】
2006087584.tif 000003
【図２】
2006087584.tif 000004
【図３】
2006087584.tif 000005
【図４】
2006087584.tif 000006